(57)【要約】  食器１２の支持面２及び該支持面２の下に少なくとも１つの熱源８を収納する担持面６を備えた食器１２中の食物を保温するテーブル１であって、支持面２は全面に拡がるテーブル面３に支持され且つ担持面６は中板７に支持され、テーブル面３が固定されてテーブル面３と中板７との間隔を調整できるか、又は中板７が固定されてテーブル面３が移動できるように構成されていることを特徴としている。
2012522540.tif 000002
【特許請求の範囲】
【請求項１】
食器の支持面及び該支持面の下に少なくとも１つの熱源を収納する担持面を備えた食器中の食物を保温するテーブルであって、
前記支持面（２）は全面に拡がるテーブル面（３）に支持され且つ前記担持面（６）は中板（７）に支持され、
テーブル面（３）が固定されてテーブル面（３）と中板（７）との間隔を調整できるか、又は中板（７）が固定されてテーブル面（３）が移動できるように構成されていることを特徴とするテーブル。
【請求項２】
テーブル面（３）は、表紙状に片開き、移動、平行移動又は回転可能に形成されていることを特徴とする請求項１に記載のテーブル。
【請求項３】
食器（１２）の支持面（２）として用いられるテーブル面（３）は圧延ガラス製であることを特徴とする請求項１又は請求項２に記載のテーブル。
【請求項４】
モジュール状に構成されたホットプレート形状の少なくとも１つの熱源が、中板（７）の担持面（６）に載置されていることを特徴とする請求項１ないし請求項３のいずれか１項に記載のテーブル。
【請求項５】
磁界を生成させて食器（１２）を加熱する誘導モジュール（８）が、担持面（６）に載置されていることを特徴とする請求項１ないし請求項４のいずれか１項に記載のテーブル。
【請求項６】
誘導モジュール（８）は、その誘導コイルが目視可能に構成されていることを特徴とする請求項５に記載のテーブル。
【請求項７】
テーブル（１）は複数の同一の誘導モジュール（８）を備えていることを特徴とする請求項５又は請求項６に記載のテーブル。
【請求項８】
誘導モジュール（８）は、電気的コネクターを備えていることを特徴とする請求項５ないし請求項７のいずれか１項に記載のテーブル。
【請求項９】
誘導モジュール（８）は、その出力を示す表示装置を備えていることを特徴とする請求項５ないし請求項８のいずれか１項に記載のテーブル。
【請求項１０】
テーブル（１）は、誘導モジュール（８）を制御するリモコン装置（１３）を備えていることを特徴とする請求項５ないし請求項９のいずれか１項に記載のテーブル。
【請求項１１】
リモコン装置（１３）が発信する信号の到達距離は、１０ｃｍ又は数１０ｃｍから１ｍ、１．５ｍ又は２ｍであることを特徴とする請求項１０に記載のテーブル。
【請求項１２】
誘導モジュール（８）の出力は、誘導モジュール（８）に備えられた制御素子又はリモコン装置（１３）により変更されることを特徴とする請求項５ないし請求項９のいずれか１項に記載のテーブル。
【請求項１３】
リモコン装置（１３）は、表示素子として構成されていることを特徴とする請求項１０に記載のテーブル。
【請求項１４】
誘導モジュール（８）の出力は、テーブル（１）の外側から制御できることを特徴とする請求項５に記載のテーブル。
【請求項１５】
中板（７）の高さにより調整されるテーブル面（３）と誘導モジュール（８）との間隔は、誘導モジュール（８）のコイルの漏れ磁界により制御されることを特徴とする請求項１ないし請求項１４のいずれか１項に記載のテーブル。
【発明の詳細な説明】
【技術分野】
【０００１】
本発明は、食器の支持面及び該支持面の下に少なくとも１つの熱源を収納する担持面を備えた食器中の食物を保温するテーブルに関する。本発明は、少なくとも１つの誘導モジュールを備えたテーブルにも関する。ここで「テーブル」とは、スタンド、カウンターなど卓状の家具を意味し、また「保温」とは、容器中の食物の調理及び／又は提供することも含む。熱源としては、例えば可燃性ペーストを内包したコンロを用いてもよい。
【背景技術】
【０００２】
化石燃料を用いて温水浴により食物を保温して、カウンターに提供する装置はレストラン業界では周知である。料理業界では、高温加熱、加温及び調理に適したハウジング又は覆い内に備えられた電気ホットプレートも周知である。スタンドで食物を保温するのに、赤外線放射装置を用いることもある。この装置は、上方及び下方から食物を加熱するのに用いられる。
【０００３】
これらの装置では、コンロを取扱う際に、温水浴により食物を保温する必要があるので、コンロが食物を供する陶磁器に直接には接触できないとの問題点がある。コンロの取扱いは、極めてコストが高く、目的には適っていない。食物が、過熱される危険もある。この危険を避けるため、食物を生ぬるい状態に保つことになる。
【０００４】
それに対応するため、特許文献１には、例えばテーブル面などの板状部材に装着された保温装置が記載されている。この装置は、支持面及び支持面の下の担持面に少なくとも１つの電気的に加熱される熱源を備え、支持面とテーブル面の上側は同一平面にある。このような保温装置は例えば、食卓面に組込まれ、それぞれの座席に対応して多数配置することができる。
【０００５】
従来の装置では、熱源から食器へ熱が伝達される際に損失が生ずることが問題であった。その上、周囲が強く加熱されるので、食事中並びに食物を提供する際に使用者が極めて不愉快に感ずるとの問題があった。
【先行技術文献】
【特許文献】
【０００６】
【特許文献１】独国特許出願公開第１０１３５３３１号明細書
【発明の概要】
【発明が解決しようとする課題】
【０００７】
本発明の課題は、上記の問題点がなく且つ簡単に構築でき軽食を提供すると同時に効率的に食物を保温できる家具を提供することにある。
【課題を解決するための手段】
【０００８】
本発明による課題は、テーブルとしての家具において、食物の入った食器の支持面が、テーブル面と中板に支持された少なくとも１つの熱源の担持面のとの間に保持され、テーブル面が固定されて前記テーブル面と中板との間隔を調整できるか、又は中板が固定されテーブル面が移動できるように形成されている。
【図面の簡単な説明】
【０００９】
【図１】本発明によるテーブルの斜視図
【図２】図１に示すテーブルに装着された誘導モジュールの状況を示す図
【図３】図２に示すテーブルに複数の誘導モジュールが装着された状態を示す図
【図４】図３に示すテーブルがスタンドとして使用される状態を示す図
【発明を実施するための形態】
【００１０】
保温装置としてのテーブル形状の家具を簡単に設置して使用できることが本発明の利点である。そのため、テーブル板を表紙のように片開き、移動、平行移動又は回転させて、担持面に簡単にアクセスできるように構成されている。
【００１１】
更に、中板の担持面に複数の熱源を配置して、保温部分への熱の投与を高めるとの利点がある。スタンドに食品を供するか又はテーブルにおいて食事をする者からは見えないように、熱源としてのモジュール上の加熱板又は誘導モジュールは家具の中板上に設置される。これにより、食物の保温ができる。熱源は、担持面に簡単に設置できることが好ましい。
【００１２】
原則的には、本発明のテーブルは、テーブル面の下方に第二の平面を有している。誘導モジュールを載置するため、中板形状の第二の平面をやや下降させると、（テーブル面である）第一の平面と（誘導モジュールを設置する）第二の平面との間隔が増大するので、誘導モジュールが簡単に扱えるようになる。第二の平面に誘導モジュールを載置してから、誘導モジュールの上面とテーブル面の下側とには所定の間隔になるまで、中板形状の第二の平面を第一の平面に向かって上昇させる。この間隔により生成する漏れ磁界により、食物は効果的に保温される。誘導モジュールから食器までの距離を正確に保つと、エネルギーの利用及び磁界の連結が最適となる。
【００１３】
中板形状の第二の平面を（テーブル面である）第一の平面の下方に固定する実施例では、テーブル面が遠ざかり熱源にアクセスし易くなる。このため、テーブル板は、片開き、すなわち表紙状に形成されるので、誘導モジュールは第二の平面上に上方から設置できる。更に、テーブル板を単に移動、平行移動又は回転可能に形成することもできる。
【００１４】
上記の構成により、本発明によるテーブルは少なくとも、誘導モジュールを中板上に簡単に設置可能、すなわち、アクセスし難い誘導モジュールの第二の平面への載置及び取外しが簡単にできる。
【００１５】
テーブル板は圧延ガラスが好ましい。これにより簡単に清掃でき且つ誘導モジュールの磁界がガラス素材を良好に透過して配置された食器と作用するので、食器内の食料品を良好に加熱又は保温できる。
【００１６】
更に、それぞれ誘導コイルが誘導モジュールの表面に表示、すなわち目視できるように構成すると、圧延ガラスを通しても目視できるので実用的である。これにより、使用者は、所定の位置にカウンターを準備又はテーブルへの皿の載置ができる。
【００１７】
誘導モジュールは、箱型に形成されて必要な電気系統並びにコイルが内臓されている。誘導モジュールは少なくとも１つのコイルを備え、表面にはコイルの大きさ、従って「ホットプレート」が表示されている。誘導モジュールは電流により駆動され種々の出力が得られる。誘導モジュールは、給電用に例えば、ケーブル、プラグ及びコンセントを有するコネクターを備えることが好ましい。複数の誘導モジュールへの給電はテーブル本体に取付けた１つのコンセントで十分である。給電は共通であっても、誘電モジュールは個々に制御されることが好ましい。
【００１８】
本発明のテーブルでは、同一の誘電モジュールを備えることが好ましい。そのため、大きさ、形状、出力などの異なる誘導モジュールは不要となる。誘導モジュールは、テーブル面下方のテーブルの担持面に設置されているので、数量及び配置を変えて状況に応じた適合ができる。大きく且つ／又は長い食器には、担持面上に２つ以上の誘導モジュールが配置される。本発明により、テーブル面上に保温する食器の大きさ、形状及びは配置に応じて、誘導モジュール及びその出力を適合させることが問題無く可能となる。
【００１９】
誘導モジュールの出力が確認できるように、それぞれの誘導モジュールの表面に表示素子を備えてもよい。出力が変更できるように、手動の調整素子に加えて、リモコン装置を備えてもよい。リモコン装置は、第一の平面、すなわちテーブル面の下方に配置されてアクセスの難しい誘導モジュールを個別に制御できるとの利点がある。リモコン装置は、指示装置として構成することが好ましい。そのため、リモコン装置、特にそのハウジングは、使用者が信号を送信する方向を、好ましくは直感的に認識できるように形成されることが好ましい。このことは、例えば縦長のリモコン装置により可能となる。これにより、使用者が所定の誘導モジュールを選び、釦又はダイヤルを操作して所定の出力に設定することが可能となる。誘導モジュールの表示装置の光学的構成により、ガラス製のテーブル面を通して誘導モジュールの出力を認識できる。表示装置は、例えば出力を示すＬＥＤを備えてもよい。これにより、個々の誘導モジュールに個別にリモコン装置を使用するか又はチャンネルを変更する必要が無くなる。すなわち、１つのリモコン装置により個々の誘導モジュールの制御が可能となる。このようなリモコン装置は、単に所定の誘導モジュールに向けるだけで、その誘導モジュールのみに信号が発信できる。
【００２０】
リモコン装置は、指向性のある信号を発信することが好ましい。信号は例えば円錐状に拡散する。リモコン装置を誘導モジュールに十分に近接させれば、信号は確実に所定のモジュールに到達する。リモコン装置からの信号は、誘導モジュールの受信部に到達するが、隣接する誘導モジュールの受信部には到達しない。表示素子により、対象の誘導モジュールか又はどの誘導モジュールが制御されているかを認識できる。リモコン装置の発信する信号の到達距離は、約１０ｃｍ、数１０ｃｍから１ｍ、１．５ｍ又は２ｍである。リモコン装置の指向性により所望の誘導モジュールを正確に制御できる。リモコン装置は、赤外信号を送信できることが好ましく、レンズ及び／又は鏡により集光された光又は円錐状の光線であれば、レーザ光でなくてもよい。使用者に見えるように誘導モジュールへの信号は可視光でもよい。光線を所望の誘導モジュールにのみ発信して別に方法により誘導モジュールに伝達してもよい。更に、リモコン装置により、例えば、音響、超音波又は電磁的な信号を送信して誘導モジュールの出力を制御することも可能である。
【００２１】
上記の出力制御法に加えて、テーブルの外側からそれぞれの誘導モジュールをオン・オフすることも可能である。
【００２２】
誘導モジュールは、食品業界で周知の食器装備が受け入れられるような寸法に設定されることが好ましい。特に、少なくとも２つの誘導モジュールを占める長い皿及び容器又は平皿も保温できる。ここでは全ての誘導モジュールは同一の寸法である。
【００２３】
テーブル形状に形成された家具により、簡単な仕方で食物が提供且つ保温できる。更に、例えば、通常のガスコンロのように、使用者が高温に曝されることもなく、調理器具（ここでは誘導モジュール）に直接に臨むこともなく、食物を調理するにも適している。
【００２４】
誘導モジュールをテーブル面からある間隔をもって隔てられてテーブル板の下方に備えられた中板である第二の平面に導入できるので、誘導モジュールの取付けは極めて簡単である。従って、誘導モジュールを押込む嵌合部をテーブルに備えなくてもよい。逆に、誘導モジュールを第二の平面上に拘束されることなく配置することが可能である。平面に簡単に設置できる種々の装置があるので、誘導モジュールを第二の平面に簡単に載置できる。リモコン装置によりそれぞれの誘導モジュールに対して、その出力を調整できるので、簡単に且つ直感的に誘導モジュールを制御できる。
【００２５】
このようにして、誘導モジュールと食器の間隔は常に最適に操作できる範囲に保たれる。
【００２６】
以下図面を用いて、本発明による実施例を説明する。
【実施例】
【００２７】
図１に示すテーブル１は、枠４内に装着された圧延ガラスのテーブル面３の支持面２を有している。枠４は、４本の脚５に支えられ、テーブル面３の下方の脚５の間には担持面６としての中板７が備えられている。
【００２８】
図２に示すように、テーブル１の第一の平面Ｅ１としてのテーブル面３と第二の平面Ｅ２としての中板７の間に熱源としての誘導モジュール８が矢印９に沿って押込まれる。図１及び図２の矢印１０で示されるように、平面Ｅ１の平面Ｅ２の高さ方向が調整可能、すなわち平面Ｅ１と平面Ｅ２の間隔が拡大可能となっている。このため、誘導モジュール８を平面Ｅ２の担持面６上に簡単に載置可能となる。図３に示すように、全ての誘導モジュール８を設置した後に、平面Ｅ２の中板７は、平面Ｅ１のテーブル面３の下側と誘導モジュール８の表面とが僅かな間隔となるように、矢印１０で示されように上方に押上げられる。最適な保温ができるように、この間隔を保持する必要がある。
【００２９】
誘導モジュール８のそれぞれの表面は、誘導モジュール８内に備えられたコイルの径に相当する円１１により示される。円１１は、好ましくは乳白色に形成されたガラス製のテーブル面３を通して見えるので、図４に示すように、ボウル及び深鍋形状の食器１２が簡単に載置できる。
【００３０】
テーブル１上の誘導モジュール８は全て同一である。図示してはいないが、これら誘導モジュール８に電源を供給できるように、互いにケーブルにより連結されている。例えば、テーブル１の誘導モジュール８に電源供給するのに、側面に２つのソケットを備えれば十分である。共通の給電でも、誘導モジュール８の出力は互いに独立に制御できる。誘導モジュール８の出力は、例えばＬＥＤにより表示される。
【００３１】
図４に示すように、テーブル１には誘導モジュール８を制御する（拡大して図示された）リモコン装置１３が備えられている。リモコン装置１３は、図４に破線で示すように、円錐状に拡がる赤外線信号を発信する。リモコン装置１３のハウジングは、使用者が直感的に信号の送信方向を把握し、且つ隣接する他の誘導モジュール８へ向けて送信すること無く調整又は再調整すべき１つの誘導モジュール８へ向けて送信できるように構成されている。種々の周波数帯を備えるか又は個々の誘導モジュール８に対応したリモコン装置１３を用いなくても、１つのリモコン装置１３により全ての誘導モジュール８の出力の調整が可能である。使用者は、表示素子により対象とする誘導モジュール８が識別できるので、隣接する誘導モジュール８を調整又は再調整することなく、所望の誘導モジュール８を調整又は再調整できる。
【符号の説明】
【００３２】
１    テーブル
２    支持面
３    テーブル面
４    枠
５    脚
６    担持面
７    中板
８    誘導モジュール
９    （誘導モジュールの押込み方向を示す）矢印
１０  （平面１、２の移動方向を示す）矢印
１１  （コイル径を示す）円
１２  食器
１３  リモコン装置
【図１】
2012522540.tif 000003
【図２】
2012522540.tif 000004
【図３】
2012522540.tif 000005
【図４】
2012522540.tif 000006
【国際調査報告】
2012522540.tif 000007
2012522540.tif 000008
2012522540.tif 000009
2012522540.tif 000010
2012522540.tif 000011
2012522540.tif 000012